(57)【要約】      （修正有）【課題】カップ全体の総重量が軽減され、並びにバストの寄せ上げを達成し、バスト曲線を自然に、美しく、豊かに整えることができるブラジャーのエアカップの提供。【解決手段】カップ構造とパッドで構成され、該カップ構造は外綿層、外発泡層、内発泡層、内綿層を具え、外綿層、外発泡層、内発泡層、内綿層は同じ円弧形の設計とされ、該外発泡層に凹縁が形成され、パッドがそのなかに置かれる。【選択図】図１
0003111927.tif 000002
【実用新案登録請求の範囲】
【請求項１】
カップ構造とパッドで構成され、該カップ構造は外綿層、外発泡層、内発泡層、内綿層を具え、外綿層、外発泡層、内発泡層、内綿層が同じ円弧形の設計とされ、該外発泡層に凹縁が形成され、パッドが凹縁内に置かれたブラジャーのエアカップにおいて、
該パッドが二つの樹脂膜を高周波熱圧加工して形成され、該パッド内に気体が充填されたことを特徴とする、ブラジャーのエアカップ。
【考案の詳細な説明】
【技術分野】
【０００１】
本考案は一種のブラジャーのエアカップに係り、特に、高温加圧成形加工によりカップとパッドが一体に形成され、パッド内部に気体が収容され、カップ全体の重量が軽減され、並びに有効に寄せ上げ効果を達成し、バスト曲線を自然に、美しく、豊かにメイキングするブラジャーのエアカップに関する。
【背景技術】
【０００２】
人々の生活品質の向上に伴い、物質に対する要求は多様化し、ブラジャーに対しても機能性と美観性の両方で改良が進められている。
【０００３】
寄せ上げ効果を有するブラジャーには図５に示されるようなものがあり、カップ構造５の内部にパッド６が取り付けられ、該パッド６は袋体とされ、その内部に液状物６１が充填され、使用者がカップ構造５を装着する時、バストを寄せ上げして豊かに見せる効果を有する。しかし周知のカップ構造５のパッド６内部に収容された液状物６１は重く、長期に着用すると肩こりをもたらし、且つショルダーバンドのないブラジャーには適合せず、美観性と実用性を兼ね備えたものではなく、また液状物６１は圧迫感を有し、直接乳頭を圧迫し、乳頭内縮の欠点を形成し、ゆえに実用価値が大幅に損なわれ、大衆の要求に符合しない。
【考案の開示】
【考案が解決しようとする課題】
【０００４】
本考案の主要な目的は一種のブラジャーのエアカップを提供することにあり、それは、高温加圧成形加工によりカップとパッドが一体に形成され、パッド内部に気体が収容され、カップ全体の重量が軽減され、並びに有効に寄せ上げ効果を達成し、バスト曲線を自然に、美しく、豊かにメイキングするブラジャーのエアカップであるものとする。
【０００５】
本考案の別の目的は一種のブラジャーのエアカップを提供することにあり、それは、外発泡層に設けた凹縁により、パッドとの熱圧成形後に、弾性空間を有し、並びに気体自体の有する柔軟度が組み合わされて、バストに対して圧迫感を形成せず、並びに乳頭内縮、変形、黒ずみの欠点を防止できるブラジャーのエアカップであるものとする。
【０００６】
本考案のブラジャーのエアカップは、カップ構造とパッドで構成され、該カップ構造は外綿層、外発泡層、内発泡層、内綿層を具え、外綿層、外発泡層、内発泡層、内綿層は同じ円弧形の設計とされ、該外発泡層に凹縁が形成され、パッドがそのなかに置かれる。本考案の特徴はパッド内に従来の液状物の代わりに空気が収容されたことにあり、これによりカップ全体の総重量が軽減され、並びにバストの寄せ上げを達成し、バスト曲線を自然に、美しく、豊かに整えることができ、広く多くの女性に喜ばれる構造とされる。
【課題を解決するための手段】
【０００７】
請求項１の考案は、カップ構造とパッドで構成され、該カップ構造は外綿層、外発泡層、内発泡層、内綿層を具え、外綿層、外発泡層、内発泡層、内綿層が同じ円弧形の設計とされ、該外発泡層に凹縁が形成され、パッドが凹縁内に置かれたブラジャーのエアカップにおいて、
該パッドが二つの樹脂膜を高周波熱圧加工して形成され、該パッド内に気体が充填されたことを特徴とする、ブラジャーのエアカップとしている。
【考案の効果】
【０００８】
本考案は以下のような効果を有している。
１．本考案のブラジャーのエアカップは、パッド内部に収容された気体により、直接バスト用エアカップの重量が軽減され、使用者が着用時に快適で負担感がなく、且つパッドが使用者にバストの寄せ上げの効果を提供し、バスト曲線を自然に、美しく、豊かにメイキングする。
２．本考案のブラジャーのエアカップは外発泡層に設けられた凹縁がパッドと熱圧成形された後、弾性空間を有し、並びに気体自体の具備する柔軟度が組み合わされてバストに対して圧迫感を形成せず、並びに乳頭内縮、変形、黒ずみの欠点を防止できる。
３．本考案のブラジャーのエアカップはパッド内に収容された物質が空気とされ、ゆえにショルダーバンドのないブラジャーにも適用され、消費者の異なる機能要求に対応できる。
４．本考案のブラジャーのエアカップは、外発泡層に凹縁が設けられ、パッドに対する良好な位置決め効果を提供し、熱圧加工時に有利であり、パッドの加工中の位置ずれによる不良品の発生を防止できる。
【０００９】
総合すると本考案は便利で実用的なブラジャーのエアカップを提供し、それは使用に便利で使用寿命が長く、その全体の組合せ及び特徴はこれまでにないものであり、新規性を有している。
【考案を実施するための最良の形態】
【００１０】
図１は本考案のブラジャーのエアカップの立体分解図である。本考案のブラジャーのエアカップはカップ構造１とパッド２で構成され、該カップ構造１は、外綿層１１、外発泡層１２、内発泡層１３、内綿層１４を具え、外綿層１１、外発泡層１２、内発泡層１３、内綿層１４は同じ円弧形の設計とされ、該外発泡層１２に凹縁１２１が形成され、パッド２が凹縁１２１内に置かれる。パッド２は二つの樹脂膜を高周波熱圧加工して形成され、その内部に気体２１が封入されている。
【００１１】
図２、３は本考案のブラジャーのエアカップのもう一つの立体分解図及びその熱圧成形金型表示図である。熱圧加工時に、外綿層１１と内綿層１４それぞれと外発泡層１２、内発泡層１３を相互に接合させた後、接合後の外綿層１１と外発泡層１２を一体に熱圧成形し並びに下型３に設けられたキャビティー中に入れ、更にパッド２、内発泡層１３及び内綿層１４を成形後の外綿層１１と外発泡層１２に重ね、上型４で下向きに熱圧加工し、ブラジャーのエアカップを形成し、加工時に発生する高温により外発泡層１１、内発泡層１３を瞬間的に接合させる。
【００１２】
図４は本考案の構造の使用実施例表示図である。カップ構造１とパッド２の熱圧成形後に、外発泡層１２に設けられた凹縁１２１とパッド２の間には弾性空間１５が形成される。該弾性空間１５に気体２１自体の具備する柔軟度が組み合わされてバストに対して圧迫感を形成せず、並びに乳頭内縮、変形、黒ずみの欠点を防止できる。且つパッド２内部の気体２１によりブラジャーのエアカップ全体の重量が軽減され、ブラジャーのエアカップが軽くなり、使用者が着用時に快適で負担感を感じないものとされる。並びに使用者にバストの寄せ上げの効果を提供し、バスト曲線を自然に、美しく、豊かにメイキングする。
【図面の簡単な説明】
【００１３】
【図１】本考案のブラジャーのエアカップの立体分解図である。
【図２】本考案のブラジャーのエアカップのもう一つの立体分解図である。
【図３】本考案のブラジャーのエアカップの熱圧成形金型表示図である。
【図４】本考案の構造の使用実施例表示図である。
【図５】周知の構造の表示図である。
【符号の説明】
【００１４】
１  カップ構造        １１  外綿層
１２  外発泡層        １２１  凹縁
１３  内発泡層        １４  内綿層
１５  弾性空間
２  パッド            ２１  気体
３  下型              ４  上型
５  カップ構造        ６  パッド
６１  液状物
【図１】
0003111927.tif 000003
【図２】
0003111927.tif 000004
【図３】
0003111927.tif 000005
【図４】
0003111927.tif 000006
【図５】
0003111927.tif 000007